(57)【要約】      （修正有）【課題】円形の鋸歯状のナイフのように草屑がスタックする問題を有せず、ノッチ切断エッジにより、不規則の成長角度を有する雑草を切断可能な草刈刃具を提供する。【解決手段】草刈刃具は草刈ブレード１０を備え、草刈ブレードは、適当のアスペクト比を有し、細長い形状を有し、二つ以上のストレート刃部または斜め刃部を有し、ストレート刃部１１または斜め刃部には、同じ又は異なる間隔を有する一つ以上のノッチ１１１が設けられ、ノッチには内側へ傾斜する斜面が設けられて、ノッチ切断エッジ１１２が形成されている。【選択図】図２
0003212885.tif 000002
【実用新案登録請求の範囲】
【請求項１】
草刈ブレードを備え、前記草刈ブレードは、適当のアスペクト比を有し、細長い形状を有し、二つ以上のストレート刃部または斜め刃部を有する草刈刃具において、
前記ストレート刃部または斜め刃部には、同じ又は異なる間隔を有する一つ以上のノッチが設けられており、前記ノッチに内側へ傾斜する斜面が設けられていることにより、ノッチ切断エッジが形成されることを特徴とする草刈刃具。
【請求項２】
前記細長い形状は、長方形、菱形、細長い幾何形状、又は複数の細長い幾何形状の組合であることを特徴とする、請求項１に記載の草刈刃具。
【請求項３】
前記二つ以上のストレート刃部または斜め刃部は、四つあることが好ましいことを特徴とする、請求項１に記載の草刈刃具。
【請求項４】
前記四つのストレート刃部または斜め刃部は、隣接側または反対側が下から上に内側へ傾斜するように設けられる四つの正面斜め刃部であり、又は隣接側ではなくて反対側でもない位置に設けられる二つの正面斜め刃部、及び二つの正面斜め刃部の隣接側または反対側に、上から下に内側へ傾斜するように設けられる背面斜め刃部であることを特徴とする、請求項３に記載の草刈刃具。
【請求項５】
前記一つ以上のノッチは、Ｖ字形、Ｕ字形、又は円弧形を呈することを特徴とする、請求項１に記載の草刈刃具。
【請求項６】
Ｖ字形、Ｕ字形、又は円弧形を呈する前記ノッチには、内側へ傾斜する前記斜面が設けられていることにより、Ｖ字形、Ｕ字形、又は円弧形を呈するノッチ切断エッジが形成されることを特徴とする、請求項５に記載の草刈刃具。
【請求項７】
前記草刈ブレードは複数のコーナーを有し、これらの前記コーナーには、一つ以上のコーナーノッチ切断エッジを増設してもよいことを特徴とする、請求項１に記載の草刈刃具。
【考案の詳細な説明】
【技術分野】
【０００１】
本考案は、草刈刃具に関し、特に、円形の鋸歯状のナイフのように草屑がスタックする問題を有せず、ノッチ切断エッジにより、不規則の成長角度を有する雑草を切断可能な草刈刃具に関するものである。
【背景技術】
【０００２】
雑草の生長は藁に類似する。藁がストレートに生長すれば、機械により切断することが可能であるが、藁が四方へ乱雑に傾斜すると、機械により切断することが難しい。これにより、手で藁を引き上げて、円弧状状の鎌によりストレートな藁を切断することが必要である。同じように、従来の草刈刃具により、四方へ乱雑に傾斜する雑草を刈るときには、刈り作業が難しい。人工で雑草を引き上げて、草刈機により雑草を刈ることも難しい。また、円形の鋸歯状のナイフは、そのエッジに刃が多く設けられており、前の刃が雑草を切断しないと、その後の刃が雑草を切断することが可能であるが、刃同士の間の距離が小さく、同じ円周に位置するため、草屑がスタックしやすい。使用の途中に、草刈機を頻繁に停止して刃具にスタックする草屑を除去することが必要なため、使用の極めて不便である。プレート状の草刈刃具を利用する場合には、四辺の刃具を回転して雑草を切断するが、刃具の角度が一致であり、雑草の生長高さ及び角度が一致ではないため、切断効果が良くなく、複数回に刈らないと、雑草をきちんと切断できない。
【０００３】
図１を参照する。従来の草刈刃具１に四つのストレート刃部２が設けられている。ストレート刃部２は、石や硬いものに当たりやすいため、ストレート刃部２が損傷し、又は鈍化しやすい。しかし、ストレート刃部２が損傷し、又は鈍化したと、当該部分が雑草を正常に切断できない。本考案に係る草刈刃具は、ノッチ切断エッジが石や硬いものに当たらないため、ノッチ切断エッジが長時間に損傷し、又は鈍化しない。
【考案の概要】
【考案が解決しようとする課題】
【０００４】
本考案の主な目的は、細長いブレードのストレート刃部または斜め刃部に、同じ又は異なる間隔を有する一つ以上のＶ字形、Ｕ字形、又は円弧形を呈するノッチが設けられており、Ｖ字形、Ｕ字形、又は円弧形を呈するノッチには、内側へ傾斜する斜面が設けられていることにより、Ｖ字形、Ｕ字形、又は円弧形を呈するノッチ切断エッジが形成され、これにより、草屑がスタックせず、雑草を引き上げて切断できる効果を有する草刈刃具を提供することにある。
【課題を解決するための手段】
【０００５】
本考案の草刈刃具によると、草刈ブレードを備え、草刈ブレードは、適当のアスペクト比を有し、細長い形状を有し、二つ以上のストレート刃部または斜め刃部を有する草刈刃具において、
ストレート刃部または斜め刃部には、同じ又は異なる間隔を有する一つ以上のノッチが設けられており、ノッチに内側へ傾斜する斜面が設けられていることにより、ノッチ切断エッジが形成されることを特徴とする。
【０００６】
本考案の草刈刃具によると、細長い形状は、長方形、菱形、細長い幾何形状、又は複数の細長い幾何形状の組合であることを特徴とする。
【０００７】
本考案の草刈刃具によると、二つ以上のストレート刃部または斜め刃部は、四つあることが好ましいことを特徴とする。
【０００８】
本考案の草刈刃具によると、四つのストレート刃部または斜め刃部は、隣接側または反対側が下から上に内側へ傾斜するように設けられる四つの正面斜め刃部であり、又は隣接側ではなくて反対側でもない位置に設けられる二つの正面斜め刃部、及び二つの正面斜め刃部の隣接側または反対側に、上から下に内側へ傾斜するように設けられる背面斜め刃部であることを特徴とする。
【０００９】
本考案の草刈刃具によると、一つ以上のノッチは、Ｖ字形、Ｕ字形、又は円弧形を呈することを特徴とする。
【００１０】
本考案の草刈刃具によると、Ｖ字形、Ｕ字形、又は円弧形を呈するノッチには、内側へ傾斜する斜面が設けられていることにより、Ｖ字形、Ｕ字形、又は円弧形を呈するノッチ切断エッジが形成されることを特徴とする。
【００１１】
本考案の草刈刃具によると、草刈ブレードは複数のコーナーを有し、これらのコーナーには、一つ以上のコーナーノッチ切断エッジを増設してもよいことを特徴とする。
【考案の効果】
【００１２】
本考案の草刈刃具によれば、細長いブレードのストレート刃部または斜め刃部に、同じ又は異なる間隔を有する一つ以上のＶ字形、Ｕ字形、又は円弧形を呈するノッチが設けられており、Ｖ字形、Ｕ字形、又は円弧形を呈するノッチには、内側へ傾斜する斜面が設けられていることにより、Ｖ字形、Ｕ字形、又は円弧形を呈するノッチ切断エッジが形成され、これにより、草屑がスタックせず、雑草を引き上げて切断できるという効果を有する。
【図面の簡単な説明】
【００１３】
【図１】従来の草刈刃具を示す斜視図である。
【図２】本考案の第１の実施形態に係る草刈刃具を示す斜視図である。
【図３】本考案の第１の実施形態に係る草刈刃具を示す上面図である。
【図４】本考案の第２の実施形態に係る草刈刃具を示す斜視図である。
【図５】本考案の第２の実施形態に係る草刈刃具を示す上面図である。
【図６】本考案の第３の実施形態に係る草刈刃具を示す斜視図である。
【図７】本考案の第４の実施形態に係る草刈刃具を示す斜視図である。
【図８】本考案に係る草刈刃具が草刈機に適用される状態を示す斜視図である。
【図９】本考案に係る草刈刃具が雑草を引き上げて、刃具により切断する動作を示す図である。
【考案を実施するための形態】
【００１４】
以下、本考案の実施の形態を図面に基づいて説明する。
【００１５】
図２から図５、図８及び図９を参照する。本考案に係る草刈刃具は、草刈ブレード１０を備える。
【００１６】
草刈ブレード１０は、適当のアスペクト比を有し、細長い形状を呈し、二つ以上のストレート刃部１１、又は斜め刃部１２を有する。
【００１７】
ストレート刃部１１又は斜め刃部１２に設けられている、同じ又は異なる間隔を有する一つ以上のノッチ１１１，１２１に、内側へ傾斜する斜面が設けられていることにより、ノッチ切断エッジ１１２，１２２が形成される。草刈ブレード１０は、草刈機５１に組み付けられる。距離を置いて設けられているノッチ切断エッジ１１２,１２２に複数の刃が形成され、刃口の角度が互いに異なる。このため、草屑がスタックせず、距離を置いて設けられている刃部１１又は１２は、ノッチ切断エッジ１１２,１２２により、雑草６０を引き上げて切断可能である。
【００１８】
本考案に係る草刈刃具は、細長い長方形刃具２０、細長い菱形刃具３０、又はその他の細長い幾何形状を呈する刃具である。
【００１９】
本考案に係る草刈刃具は、二つ以上のストレート刃部１１又は斜め刃部１２を有するが、ストレート刃部１１又は斜め刃部１２が四つあることが好ましい。
【００２０】
本考案に係る草刈刃具の四つのストレート刃部１１又は斜め刃部１２は、隣接側または反対側が下から上に内側へ傾斜するように設けられる四つの正面斜め刃部Ａであり、又は隣接側ではなくて反対側でもない位置に設けられる二つの正面斜め刃部Ａ、及び二つの正面斜め刃部Ａの隣接側または反対側に、上から下に内側へ傾斜するように設けられる背面斜め刃部Ｂである。
【００２１】
本考案に係る草刈刃具の一つ以上のノッチ１１１,１２１は、Ｖ字形、Ｕ字形、又は円弧形を呈するノッチ１１１,１２１である。
【００２２】
本考案に係る草刈刃具のＶ字形、Ｕ字形、又は円弧形を呈するノッチ１１１,１２１には、内側へ傾斜する斜面が設けられていることにより、Ｖ字形、Ｕ字形、又は円弧形を呈するノッチ切断エッジ１１２,１２２が形成される。
【００２３】
本考案に係る草刈刃具の一つ以上のノッチ１１１,１２１は、三つのノッチ１１１,１２１が等間隔に設けられることが好ましい。
【００２４】
図９を参照する。従来の草刈刃具により、四方へ乱雑に傾斜する雑草６０を切断することが難しい。これは、機械により、四方へ乱雑に傾斜する藁を切断できないことと同じである。本考案に係る草刈ブレード１０は、ストレート刃部１１又は斜め刃部１２に、同じ又は異なる間隔を有する一つ以上のノッチ１１１,１２１が設けられており、ノッチ１１１,１２１に内側へ傾斜する斜面が設けられていることにより、ノッチ切断エッジ１１２,１２２が形成される。これにより、複数のノッチ切断エッジ１１２,１２２が形成され、刃口の角度が互いに異なる。雑草を切断するときには、四方へ乱雑に傾斜する雑草６０が、距離を置いて設けられているストレート刃部１１又は斜め刃部１２に当たると、引き上げられて回転方向に沿ってブレードの表面に徐々に移動すると共に、雑草６０が、回転している草刈ブレード１０に連れてノッチ切断エッジ１１２,１２２に至って、瞬間に切断され可能である。これにより、四方へ乱雑に傾斜する雑草６０を順調に切断可能であり、省力化することが可能であり、操作が極めて便利であり、更に、一回で雑草６０を切断可能である。一方、本考案に係る草刈刃具の距離を置いて設けられているノッチは、異なる円周に位置し、間隔が同じ、又は互いに異なるように設けられるため、草屑がスタックしない。本考案に係るノッチ切断エッジ１１２,１２２は、硬いものや石に当たらないため、鋭さを長時間に保持可能であるため、雑草６０が、ストレート刃部１１に切断されなくても、ノッチ切断エッジ１１２,１２２に到達すると、絶対に切断される。
【００２５】
図６を参照する。図６に示す草刈ブレード１０は、複数の幾何形状刃具４０を有する。草刈ブレード１０にストレート刃部１１が複数設けられている。ストレート刃部１１には、同じ又は異なる間隔を有するノッチ１１１が設けられている。ノッチ１１１には、内側へ傾斜する斜面が設けられていることにより、ノッチ切断エッジ１１２が形成される。複数の幾何形状刃具４０を有する草刈ブレード１０は、乗用草刈機に適用される。
【００２６】
図７を参照する。図７に示す草刈ブレード１０のコーナーには、一つ以上のコーナーノッチ切断エッジ１１３が設けられている。コーナーノッチ切断エッジ１１３は、硬いものや石に当たらないため、鋭さを長時間に保持可能である。
【符号の説明】
【００２７】
１  草刈刃具
２  ストレート刃部
１０  草刈ブレード
１１  ストレート刃部
１２  斜め刃部
２０  長方形刃具
３０  菱形刃具
４０  幾何形状刃具
５１  草刈機
６０  雑草
１１１  ノッチ
１１２  ノッチ切断エッジ
１１３  コーナーノッチ切断エッジ
１２１  ノッチ
１２２  ノッチ切断エッジ
Ａ  正面斜め刃部
Ｂ  背面斜め刃部
【図１】
0003212885.tif 000003
【図２】
0003212885.tif 000004
【図３】
0003212885.tif 000005
【図４】
0003212885.tif 000006
【図５】
0003212885.tif 000007
【図６】
0003212885.tif 000008
【図７】
0003212885.tif 000009
【図８】
0003212885.tif 000010
【図９】
0003212885.tif 000011